(57)【要約】      （修正有）【課題】睡眠時に、枕又は枕カバーにおいて、隙間風や冷気の遮断と、鼻づまりの緩和及び防音により安眠できる頭部用寝具を提供する。【解決手段】枕又は枕カバーの周辺部から長く延長した布地を有した枕又は枕カバーにおいて、枕として袋状からなる扁平長方形状の枕相当部１の長辺一辺部より垂直方向へ延長させた後頭部覆２とし、枕相当部１の両短辺をも垂直に延長させて、それぞれを側面覆３とする。かつ、後頭部覆２と両側面覆３は同じ長さの高さにさせると共に、両者を一体化させて枕相当部１の片面３辺上にコの字状に起立させ得るようにして、就寝使用時に使用人の頭部を３方向から囲むように成したことを特徴とする防寒用枕カバー又は枕。【選択図】図１
0003156927.tif 000002
【実用新案登録請求の範囲】
【請求項１】
枕又は枕カバーの周辺部から長く延長した布地を有した枕又は枕カバーにおいて、枕として袋状からなる扁平長方形状の枕相当部（１）の長辺一辺部より垂直方向へ延長させて後頭部覆（２）とし、該枕相当部（１）の両短辺をも垂直に延長させて、それぞれ側面覆（３）とし、かつ、上記後頭部覆（２）と該両側面覆（３）とは同じ長さの高さにさせると共に、両者を一体化として上記枕相当部（１）の片面３辺上にコの字状に起立させ得るようにして、就寝使用時に使用人の頭部を３方向から囲むように成したことを特徴とする防寒用枕カバー又は枕。
【請求項２】
後頭部覆（２）と両側面覆（３）との一体化手段を、予め後頭部覆（２）部分と側面覆（３）部分とを分離したものとし、その隣接する両辺部を互いに連結辺部（４）として互いに連結一体化させた請求項１記載の防寒用枕カバー又は枕。
【請求項３】
枕相当部（１）が枕カバーであるものは、該枕相当部（１）のいずれかの一辺部か、又は裏面の一部を、枕出入口（５）とした請求項１又は請求項２記載の防寒用枕カバー。
【請求項４】
枕相当部（１）が枕体そのものであるものは、その長辺一辺部に後頭部覆（２）を、両短辺にそれぞれ側面覆（３）を設けるようにした請求項１又は請求項２記載の防寒用枕。
【請求項５】
枕相当部（１）の両側面覆（３）をも、方形状に延長させた請求項１乃至請求項４のいずれかに記載の防寒用枕カバー又は枕。
【請求項６】
後頭部覆（２）か、又は両側面覆（３）のいずれかを更に延長させて、該延長部分を顔面覆（６）と成し、就寝使用時に使用人の顔面を上記顔面覆（６）と接触なくほぼ全面を上方から覆うようにした請求項５記載の防寒用枕カバー又は枕。
【請求項７】
後頭部覆（２）と両側面覆（３）との両連結辺部（４）の上辺近傍のみを、互いに着脱し得るように着脱部（７）を設けて圧接合部（８）を形成し得るように成し、顔面をも上方から離れて半分ほど覆うようにした請求項１乃至請求項６のいずれかに記載の防寒用枕カバー又は枕。
【請求項８】
両側面覆（３）の内側の一部に、ポケット（９）を設けた請求項１乃至請求項７のいずれかに記載の防寒用枕カバー又は枕。
【考案の詳細な説明】
【技術分野】
【０００１】  この考案は、睡眠時の隙間風や冷気の遮断と、鼻づまりの緩和及び防音のための覆いを具備した枕カバー又は枕の改良に関するものである。
【背景技術】
【０００２】  昔から日本人の知恵として、睡眠時に窓などからの隙間風や冷気などを防ぐためと、目隠しのために、「枕屏風」を立てたものである。最近は、建築様式もすっかり変化し暖房器具の設備等で「枕屏風」を用いることもなくなった。【０００３】  また、周囲の明るさや雑音があると気になり快く安眠できない。そのために、明かりや雑音を防ぐためのアイマスクや耳栓などの別途補助具が必要となる。また、睡眠時に鼻炎などで生じる鼻詰まりは息苦しく快眠できない。解消方法として、マスクの使用や緩和薬を用いるが脱落や塗り薬の付着など利便性に欠けることがあった。そこで、それに代わるものとして何があったかと、先願を調べてみると次のような諸件が見出された。【０００４】  例えば、屋外で使用できるよう携帯可能にするために、変形するマットレスを収容するための空洞部を有する袋状のシート状体からなる睡眠用手段であって、使用時には頭部の両側面部に三角状の覆いが形成されるように図示されているものがある。
また、他の構成手段として、枕を覆うように後頭部から両側面部に渡って膨らんだ状態の湾曲した包囲部が形成され、頭部を囲むように成した発明の名称「睡眠用手段」というものがある。（例えば、特許文献１参照。）。【０００５】  また、機中や車中で仮眠する際に、寝顔を見られないようにする枕として、枕本体がＵ字状であり、このＵ字状の凹部に使用者の後頭部を当てるようにして用いる枕がある。
そして、使用者の顔面を覆う大きさのベールを、枕本体の枕カバーに縫い付けていて、仮眠している際の寝顔を他人に見られたくない場合には、枕本体内に収容されているベールを引き出して顔面を覆うようにした発明の名称「枕」というものがある。（例えば、特許文献２参照。）。【０００６】  更に、枕カバーを袋状の布製とし、その長さ方向両辺部には帯状の布が一体的に設けられていて、この枕カバーには内部の枕本体を出し入れするファスナーが設けられている。このことは、枕本体そのものに帯状の布を設けて、同じ機能を擁した枕としてもよいとしている。そして、この帯状の布で頭部を巻き、眼部、耳部を覆うようにした発明の名称「安眠枕カバーおよび安眠枕」というものがある。（例えば、特許文献３参照。）。【０００７】  また、よりよい睡眠を得るための枕カバーで、袋状となるカバー表面の両端にポケットを設け、鎮静又は催眠効果のある芳香剤を挿入する特徴の考案の名称「芳香枕カバー」というものがある。（例えば、実開文献４参照。）。
【先行技術文献】
【特許文献】
【０００８】
【特許文献１】特開２００２−２６２９７５号公報（［０００５］〜［００１１］、図１、図５）
【特許文献２】特開２００３−３３４１３１号公報（［０００５］〜［０００９］、図２）
【特許文献３】特開２００８−２９５４８５号公報（［０００４］〜［０００６］、図１、図２）
【特許文献４】実開平６−５０５７０号公開（［０００３］〜［０００７］、図１）
【考案の概要】
【考案が解決しようとする課題】
【０００９】  上述の特許文献１は、全体として使用時に大きくなるマットレスの携帯性に力点が置かれているためか、本考案の目的とする頭の周辺の構成についての記載は少なく、詳細については不明であるが、図面から見て十分な睡眠時における冷気の遮断や防音のための覆いを具備したものであるとは言えない。目的が異なるから当然であろうが、大きすぎて参考にはならないものである。【００１０】  特許文献２は、寝顔を見られないようにすると言う目的を完全に達成できるものだが、使用状態では顔面を全部覆ってしまうから、かえって他人が見て異様に感じる。第一、枕本体の形状がＵ字状であるので一般的ではない。【００１１】  特許文献３では、前述の２例のものとは異なって、一般的な枕にも使用できるものであろう。しかしながら、帯状の布を、両目の真上で重ね止める構成なので、布が顔面に当接して寝返りができ難い欠点を生ずることになる。【００１２】  特許文献４では、頭部を冷気から保護する構造はないが、枕カバーの両側にあるポケットに芳香剤を挿入して就寝を容易にする要素としては本考案と似ている。しかし、芳香は周囲に分散して必要な場所に漂ってこない可能性があり確実性に欠ける。【００１３】  上記の内の３例は、いずれも枕又は枕カバーの周辺部から、布状のものを延長させ、この布状体にて使用者の頭部あるいは顔面を覆うように構成されている。
そして、本考案も類似しているが、その目的とすることは、顔面に布状体が直接当接することなく、かつ、通常用いているような普通形状の枕を自宅において使用できるものとしたものであって、睡眠時に隙間風や冷気及び雑音などを防ぎ、また、完全ではないが一応の目隠しのためにもなることを目的とするものである。【００１４】  あとの１例の特許文献４は、折角の芳香が分散してしまうので、顔部がどの方位にあっても、香りが届き鼻づまりの緩和効果が期待できる頭部用寝具を提供したいのである。
【課題を解決するための手段】
【００１５】  先ず、この発明の基本的な構成と共に、主要な作用を図面に基づき説明する。ただし、同一機能を有する部分には、形状は異なっても同一符号を用いた。
なお、図面は理解をしやすいように、例えば各図の側面覆３に見るように、その厚みを表すため平行状の複線として描いたが、実際には芯材入りの袋体にて、上辺部は丸みのある突出した半円状であり、図示のような平行線のようには見えないことを承知されたい。
また、連結辺部４も同様で、以下に述べる構成によっては、当該部分がなだらかな湾曲面となって連結辺部４は線としては見えないことを予め承知の上で見ていただきたい。【００１６】  各図に見るように、枕又は枕カバーの周辺部から長く延長した布地を有した枕又は枕カバーにおいて、枕として袋状からなる扁平長方形状の枕相当部１の長辺一辺部より垂直方向へ延長させて後頭部覆２とし、その枕相当部１の両短辺をも垂直に延長させてそれぞれを側面覆３とする。かつ、後頭部覆２と両側面覆３は同じ長さの高さにさせると共に、両者を一体化とし、枕相当部１の片面３辺上にコの字状に起立させ得るようにして、就寝使用時に使用人の頭部を３方向から囲むように成したことを特徴とするのが基本的な本考案の防寒用枕カバー又は枕である。【００１７】  前記の基本構成において、後頭部覆２と両側面覆３との一体化手段を、予め後頭部覆２部分と側面覆３部分とが長さ方向に連続一体化されたものであってもよいし、分離したものとして、その隣接する両辺部を互いに連結辺部４として互いに縫うなどして連結一体化させたものであっても構わない。したがって、連続一体化されたものでは、屈折辺として線状に現れることはないだろうが、図面には連結辺部４として描いておいた。
なお、枕相当部１が枕体そのものであるものは、その長辺一辺部に後頭部覆２を、両短辺にそれぞれ側面覆３を設けるようにすればよいことは言うまでもない。【００１８】  また、枕相当部１が枕カバーであるものは、枕相当部１の何れかの一辺か、又は、裏面の一部を枕出入口５としたものとする。これは、別の枕を枕カバーの枕相当部１の中に挿入させて用いることになる。【００１９】  更に、両側面覆３の形状は、図１に示すような後頭部覆２側から手前側に向かってなだらかに下降するよう湾曲したものでもよいし、図２に示すような両側面覆３の上辺部が水平になるように全体として方形としたものでもよい。【００２０】  そして、図２のように両側面覆３を全体として方形としたものでは、その両側面覆３を更に方形状に延長させるか、又は、後頭部覆２を方形状に延長させるかのいずれかをしてその延長部分を顔面覆６と成し、就寝使用時に使用人の顔面を顔面覆６とは接触することなく上方からほぼ全面を覆うにするのもよい。【００２１】  このように、顔面覆６を付加するものは、当然ながら後頭部覆２と両側面覆３に荷重が掛かるから、袋状からなる後頭部覆２と両側面覆３自体を強化するために、中芯材として厚目のフエルト材や発泡ポリウレタン材などを用いる必要がある。【００２２】  加えて、後頭部覆２と両側面覆３が接合する上辺近傍のみに、それぞれ着脱部７を設けて、互いの着脱部７を圧接することにより結合させ、図７に示すような圧接合部８を形成し得るようにするのである。そうすれば、後頭部覆２と両側面覆３の連結辺部４辺りが互いに縮むことによって、図７に一点鎖線で示した顔面１０をも上方から離れてやや半分ほど覆うようにした防寒用枕カバー及び枕と変化できるようになる。【００２３】  更に加えて、上記のいずれの構成のものに対しても、両側面覆３の内側の一部に、適当な大きさのポケット９を設けたものとするがよい。
【考案の効果】
【００２４】  この考案が枕カバーの場合でも、その基本的構成において、枕出入口５から枕の着脱が容易で洗濯が可能であるから衛生的である。
また、後頭覆２と両側面覆３には芯材の選択によって多少の違いはあっても、軟性があり、折り曲げた際には折り目ができ難く、軽量で型崩れし難い要素があり、頭部と接触しても違和感がなく快適に使用でき、日中でも就寝状態を遠目の他人から目隠しできて快眠可能となった。【００２５】  なお、図７で示すように、後頭部覆２と両側面覆３の上辺近傍に設けた図１や図２に見るような着脱部７を用いて圧接合部８を形成させ、３辺をより近付けて一体化としたコの字状態は、顔面１０の額上部を覆い睡眠時の冷気の侵入や、保温の効果をより発揮できるようになる。【００２６】  更に、図３又は図５に見るように顔面覆６を付加したものは、一層、顔面１０上を全面的に覆うようになるから遮蔽効果の向上を図れるようになる。【００２７】  各着脱部７が開放のままで接合がない図１又は図２の状態では、眼部が完全に覆われないため視野が広く圧迫感が感じられないことになる。
その両者の状態を、至極簡単な着脱操作だけで変化させ得るのである。また、この考案品を使用しない時は、少なくとも後頭部覆２内の芯材に軟らかな材質のものを採用するならば、全体として折畳むことが出来るから押入れなどにコンパクトに収納が可能である。【００２８】  この考案の他の効用は、各図に示すように、両側面覆３の両内側の片方か両方に、ポケット９を設けたことにより生ずる。すなわち、ポケット９内に投入する香料の種類によって、多種の香りを楽しめられて、かつ、鼻づまりの緩和効果がある。これによって、顔面が左右どちらに向いていても効率よく香りを嗅ぐ構成になっているからである。【００２９】  この考案は、枕カバー及び枕において、十分な広さがあるから通常の枕と変わりなく頭部を移動でき、寝返りもできるし髪形を気にしなくてもよい。また、危急時における起き上がりにも邪魔になるものがないので急速に立ち上がれるなど数々の効用がある。
【図面の簡単な説明】
【００３０】
【図１】この考案の基本的な実施例の斜視図である。（実施例１）
【図２】この考案の他の基本的な実施例の斜視図である。（実施例２）
【図３】図２に、顔面覆を付加した実施例の斜視図である。（実施例２）
【図４】図３の顔面覆を、不使用時とした状態で示す斜視図である。（実施例２）
【図５】この考案の顔面覆を付加した他の実施例の斜視図である。（実施例３）
【図６】図５の両顔面覆を、不使用時とした状態で示す斜視図である。（実施例３）
【図７】図１の実施例にて、後頭部覆及び両側面覆の接合連結する上辺近傍をそれぞれ着接させて、圧接合部を形成させた状態として示した平面図である。（実施例１）
【考案を実施するための形態】
【００３１】  この考案の防寒用枕カバー及び枕の実施形態は、基本的には一般的な袋状の枕カバーと同様に、前述したところに設けた枕出入口５として、図示したファスナーを使用し、好みの枕を挿入して使用するのである。なお、図示のファスナーは、全て枕相当部１の前面として描いたが、側面でも裏面でも構わない。
【００３２】  なお、普通に用いる枕と大きく変わらないので、大きさに関する寸法の詳細記載は省略するが、実施例として、枕相当部１は６４ｃｍ×４３ｃｍとし、後頭部覆２の高さは３４ｃｍで、両側面覆３の高さは上辺が水平のものは３４ｃｍだが、上辺が湾曲したものは、３４ｃｍから適当なカーブで下がるようにした。
【実施例１】
【００３３】  実施例１を、図１及び図７に示す両側面覆３の前辺部が湾曲したもので説明すると、袋状である後頭部覆２と両側面覆３の中には、クッション性を有し、折り目の付き難い張りのある例えばポリウレタンフォームの素材を使用する。硬さの度合いは、就寝時の頭部への接触に関して違和感が生じなければ素材を変えることも可能であるし、素材によっては、防寒性や防音性に効果が考えられる。【００３４】  なお、コの字形態は、後頭部覆２と両側面覆３とも高さを要するため、枕相当部１の両前端に側面覆３の下辺一部分と接合しなければ適度な起立を維持することができない。
そこで、袋状である後頭部覆２と両側面覆３や、その中に入れる素材の種類によって、この考案は限定されるものではないが、袋体には極普通の好みの布地でよく、中に入れる素材には、適度な起立を維持するために発泡性のポリウレタン系樹脂やアクリル系樹脂など多種あるから適宜な材質を選び、それらを原料としたフエルト材にしてもよい。【００３５】  また、冷気が頭部だけではなく顔面上にも感じないのが望ましい場合は、図１に示すように、後頭部覆２と両側面覆３との上辺部を接合させるために、その上辺近傍のみに、それぞれ相対して用いる着脱部７を間隔をおいて設け、互いの着脱部７を圧接結合させて、図７に示すような圧接合部８を形成し得るようにするのである。このような構成で就寝時に使用人が頭部周囲の空間を調整できる開閉手段である。【００３６】  なお、この図１や図２などに示す着脱部７とは、両者を圧接して結合する面ファスナーで、例えば商品名マジックテープ（登録商標）の雌雄を相対に縫い付けたものである。
なお、図示省略したが鳩目なり、ホックなりを用いてもよいが、面ファスナーを採用する方が、結合力が強く着脱も容易で好ましいと思われる。
【実施例２】
【００３７】  実施例２は、両側面覆３の上辺が水平の図２のものを用い、後頭部覆２を延長して顔面覆６を設けたものであり、使用時は図３で示すようになる。なお、この場合は、その延長部分は図３に示すように、長辺部を後頭部覆２よりも長いものとして、両側面覆３上から両外側に下垂状態にするのがよい。不使用時状態は、図４のように後頭部覆２の後方へ折り返して下げておく。
【実施例３】
【００３８】  実施例３は、実施例２と同じく図２のものを用い、使用状態で示した図５のように、その両側面覆３を更に方形状に延長させて顔面覆６としたものであり、顔面覆６の端辺部には着脱部７として面ファスナーを設けたものとした。
この場合注意することは、顔面覆６の重量が大きくなるので、両側面覆３の起立性が崩れぬよう芯材を選ぶことが肝要である。なお、図６は、不使用時の状態を示した。
【実施例４】
【００３９】  実施例４としては、上述した各実施例に共通して付加し得るものであり、それぞれの側面覆３の内側の下方辺りにポケット９を設けたものである。
このポケット９は内容物の出し入れがしやすい場所に設ければよいので、設置場所にこだわらないが、香料や鼻づまりを緩和させる緩和剤などを布や紙等に付着あるいは包装したものを挿入したいので、網状のものが好ましく、また、使用時に香りなどを吸入しやすくするために、上記のように側面覆３の内側に配置となる。【００４０】  更に、図７で示すような圧接合部８を形成させた状態での使用は、香りをより確実に吸引できるようになり、顔面覆６を設けた実施例２や実施例３の場合も同様な効果がある。
以上詳記のように、比較的簡単な構成で安価に提供できて工業的に有益な考案である。
【符号の説明】
【００４１】１  枕収納部
２  後頭部覆
３  側面覆
４  連結辺部
５  枕出入口
６  顔面覆
７  着脱部
８  圧接合部
９  ポケット
【図１】
0003156927.tif 000003
【図２】
0003156927.tif 000004
【図３】
0003156927.tif 000005
【図４】
0003156927.tif 000006
【図５】
0003156927.tif 000007
【図６】
0003156927.tif 000008
【図７】
0003156927.tif 000009
【手続補正書】
【提出日】平成21年10月27日(2009.10.27)
【手続補正１】
【補正対象書類名】実用新案登録請求の範囲
【補正対象項目名】全文
【補正方法】変更
【補正の内容】
【実用新案登録請求の範囲】
【請求項１】
枕又は枕カバーの周辺部から延長した布地において、枕として袋状からなる扁平長方形状の枕相当部（１）の長辺一辺部より垂直方向へ延長させて後頭部覆（２）とし、該枕相当部（１）の両短辺をも垂直に延長させて、それぞれ側面覆（３）とし、かつ、上記後頭部覆（２）と該両側面覆（３）とは同じ長さの高さにさせると共に両者を一体化として上記枕相当部（１）の片面３辺上にコの字状に起立させ得るようにして、就寝使用時に使用人の頭部を３方向から囲むように成したことを特徴とする防寒用の頭部寝具囲い。
【請求項２】
後頭部覆（２）と両側面覆（３）との一体化手段を、予め後頭部覆（２）部分と側面覆（３）部分とを分離したものとし、その隣接する両辺部を互いに連結辺部（４）として互いに連結一体化させた請求項１記載の防寒用の頭部寝具囲い。
【請求項３】
枕相当部（１）が枕カバーであるものは、該枕相当部（１）のいずれかの一辺部か、又は裏面の一部を、枕出入口（５）とした請求項１又は請求項２記載の防寒用の頭部寝具囲い。
【請求項４】
枕相当部（１）が枕体そのものであるものは、その長辺一辺部に後頭部覆（２）を、両短辺にそれぞれ側面覆（３）を設けるようにした請求項１又は請求項２記載の防寒用の頭部寝具囲い。
【請求項５】
枕相当部（１）の両側面覆（３）をも、方形状に延長させた請求項１乃至請求項４のいずれかに記載の防寒用の頭部寝具囲い。
【請求項６】
後頭部覆（２）か、又は両側面覆（３）のいずれかを更に延長させて、該延長部分を顔面覆（６）と成し、就寝使用時に使用人の顔面を上記顔面覆（６）と接触なくほぼ全面を上方から覆うようにした請求項５記載の防寒用の頭部寝具囲い。
【請求項７】
後頭部覆（２）と両側面覆（３）との両連結辺部（４）の上辺近傍のみを、互いに着脱し得るように着脱部（７）を設けて圧接合部（８）を形成し得るように成し、顔面をも上方から離れて半分ほど覆うようにした請求項１乃至請求項６のいずれかに記載の防寒用の頭部寝具囲い。
【請求項８】
両側面覆（３）の内側の一部に、ポケット（９）を設けた請求項１乃至請求項７のいずれかに記載の防寒用の頭部寝具囲い。
【手続補正２】
【補正対象書類名】明細書
【補正対象項目名】００１６
【補正方法】変更
【補正の内容】
【００１６】  各図に見るように、枕又は枕カバーの周辺部から長く延長した布地において、枕として袋状からなる扁平長方形状の枕相当部１の長辺一辺部より垂直方向へ延長させて後頭部覆２とし、その枕相当部１の両短辺をも垂直に延長させてそれぞれを側面覆３とする。  かつ、後頭部覆２と両側面覆３は同じ長さの高さにさせると共に、両者を一体化とし、枕相当部１の片面３辺上にコの字状に起立させ得るようにして、就寝使用時に使用人の頭部を３方向から囲むように成したことを特徴とするのが基本的な本考案の防寒用の頭部寝具囲いである。